(57)【特許請求の範囲】
【請求項１】
波長域４２０ｎｍ付近に発光ピークを有する青色蛍光体、緑色蛍光体および赤色蛍光体の３波長発光形蛍光体を有し、
発色光の色度点をｘ＝０．２７２，ｙ＝０．２７８を中心とする楕円の５色標準等色偏差内の色度範囲に設定した
ことを特徴とする蛍光ランプ。
【請求項２】
波長域４２０ｎｍ付近に発光ピークを有する青色蛍光体、緑色蛍光体および赤色蛍光体の３波長発光形蛍光体を有し、
発色光の色度点をｘ＝０．２６１，ｙ＝０．２６２を中心とする楕円の５色標準等色偏差内の色度範囲に設定した
ことを特徴とする蛍光ランプ。
【請求項３】
波長域４２０ｎｍ付近に発光ピークを有する青色蛍光体、緑色蛍光体および赤色蛍光体の３波長発光形蛍光体を有し、
発色光の色度点をｘ＝０．２６１，ｙ＝０．２６４を中心とする楕円の５色標準等色偏差内の色度範囲に設定した
ことを特徴とする蛍光ランプ。
【請求項４】
波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、
発色光の色度点をｘ＝０．２７２，ｙ＝０．２７８を中心とする楕円の５色標準等色偏差内の色度範囲に設定した
ことを特徴とする蛍光ランプ。
【請求項５】
波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、
発色光の色度点をｘ＝０．２６１，ｙ＝０．２６２を中心とする楕円の５色標準等色偏差内の色度範囲に設定した
ことを特徴とする蛍光ランプ。
【請求項６】
波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、
発色光の色度点をｘ＝０．２６１，ｙ＝０．２６４を中心とする楕円の５色標準等色偏差内の色度範囲に設定した
ことを特徴とする蛍光ランプ。
【請求項７】
波長域４３０ｎｍないし４９０ｎｍに発光ピークを有する青色蛍光体、波長域５１０ｎｍないし５７０ｎｍに発光ピークを有する緑色蛍光体、および、波長域５８０ｎｍないし６３０ｎｍに発光ピークを有する赤色蛍光体を有する
ことを特徴とする請求項１ないし６いずれか一記載の蛍光ランプ。
【請求項８】
波長域６６０ｎｍ付近に発光ピークを有する深赤色蛍光体を有する
ことを特徴とする請求項１ないし３および７いずれか一記載の蛍光ランプ。
【請求項９】
波長域３２０ｎｍないし３８０ｎｍ付近に発光ピークを有する紫外域蛍光体を有する
ことを特徴とする請求項１ないし３、７および８いずれか一記載の蛍光ランプ。
【請求項１０】
相関色温度が８０００Ｋ以上である
ことを特徴とする請求項１ないし９いずれか一記載の蛍光ランプ。
【発明の詳細な説明】
【０００１】
【発明の属する技術分野】
本発明は、色度範囲を適切にした蛍光ランプに関する。
【０００２】
【従来の技術】
従来、水槽などに使用する蛍光ランプは水草の育成や、魚の観賞を目的にするため、青色蛍光体および赤色蛍光体の組み合わせにより構成されており、近年、３波長蛍光体を有する蛍光ランプとしてたとえば特開平５−１９０１４４号公報に記載の構成が知られている。
【０００３】
この特開平５−１９０１４４号公報には、波長域４３０ｎｍないし４６０ｎｍ付近に発光ピークを有する青色蛍光体、波長域５３０ｎｍないし５５０ｎｍに発光ピークを有する緑色蛍光体、波長域６１０ｎｍ付近に発光ピークを有する赤色蛍光体、波長域６６０ｎｍ付近に発光ピークを有する深赤色蛍光体を混合し、色度点をｘ＝０．２８８，ｙ＝０．２３２を中心とする５色標準等色偏差内に設定した蛍光ランプについて記載されている。
【０００４】
そして、赤色、黄緑および緑系統を原色のまま鮮やかに演色し、養魚水槽などに用いている。
【０００５】
【発明が解決しようとする課題】
しかしながら、上記特開平５−１９０１４４号公報に記載の構成の場合、色度点のｙ値が低いため視感上赤みが強く水の透明感が損ねられるとともに、珊瑚などは赤色の光により藻が生えやすいため、茶色に着色される問題を有している。
【０００６】
本発明は、上記問題点に鑑みなされたもので、自然に近い色で被照射物を観賞できるようにした蛍光ランプを提供することを目的とする。
【０００７】
【課題を解決するための手段】
請求項１記載の蛍光ランプは、波長域４２０ｎｍ付近に発光ピークを有する青色蛍光体、緑色蛍光体および赤色蛍光体の３波長発光形蛍光体を有し、発色光の色度点をｘ＝０．２７２，ｙ＝０．２７８を中心とする楕円の５色標準等色偏差内の色度範囲に設定したもので、たとえば水の透明感を高め自然の色に近付けて照度が向上するとともに、より色を鮮やかにするとともに、赤色の比率を抑えて藻の発生を抑えられる。
【０００８】
請求項２記載の蛍光ランプは、波長域４２０ｎｍ付近に発光ピークを有する青色蛍光体、緑色蛍光体および赤色蛍光体の３波長発光形蛍光体を有し、発色光の色度点をｘ＝０．２６１，ｙ＝０．２６２を中心とする楕円の５色標準等色偏差内の色度範囲に設定したもので、たとえば水の透明感を高め自然の色に近付けて照度が向上するとともに、より色を鮮やかにするとともに、赤色の比率を抑えて藻の発生を抑えられる。
【０００９】
請求項３記載の蛍光ランプは、波長域４２０ｎｍ付近に発光ピークを有する青色蛍光体、緑色蛍光体および赤色蛍光体の３波長発光形蛍光体を有し、発色光の色度点をｘ＝０．２６１，ｙ＝０．２６４を中心とする楕円の５色標準等色偏差内の色度範囲に設定したもので、たとえば水の透明感を高め自然の色に近付けて照度が向上するとともに、より色を鮮やかにするとともに、赤色の比率を抑えて藻の発生を抑えられる。
【００１０】
請求項４記載の蛍光ランプは、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、発色光の色度点をｘ＝０．２７２，ｙ＝０．２７８を中心とする楕円の５色標準等色偏差内の色度範囲に設定したもので、たとえば水の透明感を高め自然の色に近付けて照度が向上するとともに、より色を鮮やかにするとともに、赤色の比率を抑えて藻の発生を抑えられる。
【００１１】
請求項５記載の蛍光ランプは、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、発色光の色度点をｘ＝０．２６１，ｙ＝０．２６２を中心とする楕円の５色標準等色偏差内の色度範囲に設定したもので、たとえば水の透明感を高め自然の色に近付けて照度が向上するとともに、より色を鮮やかにするとともに、赤色の比率を抑えて藻の発生を抑えられる。
【００１２】
請求項６記載の蛍光ランプは、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、発色光の色度点をｘ＝０．２６１，ｙ＝０．２６４を中心とする楕円の５色標準等色偏差内の色度範囲に設定したもので、たとえば水の透明感を高め自然の色に近付けて照度が向上するとともに、より色を鮮やかにするとともに、赤色の比率を抑えて藻の発生を抑えられる。
【００１３】
請求項７記載の蛍光ランプは、請求項１ないし６いずれか一記載の蛍光ランプにおいて、波長域４３０ｎｍないし４９０ｎｍに発光ピークを有する青色蛍光体、波長域５１０ｎｍないし５７０ｎｍに発光ピークを有する緑色蛍光体、および、波長域５８０ｎｍないし６３０ｎｍに発光ピークを有する赤色蛍光体を有するもので、たとえば水槽などに使用する場合、水草の育成や魚の観賞に好適である。
【００１４】
請求項８記載の蛍光ランプは、請求項１ないし３および７いずれか一記載の蛍光ランプにおいて、波長域６６０ｎｍ付近に発光ピークを有する深赤色蛍光体を有するもので、より色を鮮やかにするとともに、比較的赤色に近い色が発光するので藻の発生を抑えられる。
【００１５】
請求項９記載の蛍光ランプは、請求項１ないし３、７および８いずれか一記載の蛍光ランプにおいて、波長域３２０ｎｍないし３８０ｎｍ付近に発光ピークを有する紫外域蛍光体を有するもので、より色を鮮やかにするとともに、赤色の比率を抑えて藻の発生を抑えられる。
【００１６】
請求項１０記載の蛍光ランプは、請求項１ないし９いずれか一記載の蛍光ランプにおいて、相関色温度が８０００Ｋ以上であるもので、高色温度にすることにより赤色の成分の比率が減少でき、たとえば水槽内の水の透明感を高めて自然に近付けることができるとともに高照度が得られ、藻の発生も抑えられる。
【００１７】
【発明の実施の形態】
以下、本発明の蛍光ランプの一実施の形態を図面を参照して説明する。
【００１８】
図２は蛍光ランプを示す正面図で、この図２に示すように、蛍光ランプ１は、バルブ２を有し、このバルブ２は透光性を有するたとえばソーダライムガラス製で円筒状に形成され、バルブ２の両端部には封止部３が形成されている。
【００１９】
また、バルブ２の両端の封止部３にはバルブ２内に配設される電極４がリード線８を介して植設され、バルブ２の両端には口金５がそれぞれ固着され、各口金５には電極４に電気的に接続された一対の口金ピン６がそれぞれ突設されている。
【００２０】
さらに、電極４はフィラメントコイル７をそれぞれ有し、このフィラメントコイル７の両端を導電性を有する一対のリード線８で支持し、これら各リード線８が封止部３に気密に支持されているとともに封止部３から外部に突出して口金ピン６に接続されている。フィラメントコイル７にはエミッタとして電子放射性物質が塗布されている。
【００２１】
また、バルブ２内には、たとえば波長域４３０ｎｍないし４９０ｎｍに発光ピークを有する青色蛍光体、波長域５１０ｎｍないし５７０ｎｍに発光ピークを有する緑色蛍光体、および、波長域５８０ｎｍないし６３０ｎｍに発光ピークを有する赤色蛍光体が塗布され、さらに必要に応じて、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体のいずれかが１または２以上塗布されている。
【００２２】
このように、波長域４３０ｎｍないし４９０ｎｍに発光ピークを青色蛍光体、波長域５１０ｎｍないし５７０ｎｍに発光ピークを有する緑色蛍光体、および、波長域５８０ｎｍないし６３０ｎｍに発光ピークを有する赤色蛍光体の３波長蛍光形蛍光体が塗布されることにより、自然の色に近付けて照度を向上し、たとえば水槽用に用いた場合、水槽内の水の透明感も高まり、観賞魚や藻の色をより鮮やかにしながら、赤色の比率を低下させて珊瑚などに藻が発生して着色されることを防止する。
【００２３】
また、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体のいずれかが１または２以上塗布されていることにより、同様に水槽用に用いた場合、水槽内の水の透明感もより高まり、観賞魚や藻の色をさらに鮮やかにしながら、藻が生えやすい赤色の比率を低下させて珊瑚などに藻が発生して着色されることを防止する。また、３２０ｎｍないし３８０ｎｍの紫外域蛍光体が含まれる場合、水槽内に紫外線によって発光する蛍光物質が含まれた装飾物を入れておくことで演出効果を高めることもできる。
【００２４】
そして、相関色温度は８０００Ｋ以上に設定されている。
【００２５】
このように、相関色温度を８０００Ｋ以上にすることにより、高色温度にすることにより赤色の成分の比率が減少でき、たとえば水槽内の水の透明感を高めて自然に近付けることができるとともに高照度が得られ、珊瑚などの無脊椎動物への藻の発生も抑えられ、観賞魚などの観賞、育成により適する。
【００２６】
また、発色光の色度点を、ｘ＝０．２７２，ｙ＝０．２７８を中心とする楕円の５色標準等色偏差内の色度範囲、ｘ＝０．２６１，ｙ＝０．２６２を中心とする楕円の５色標準等色偏差内の色度範囲、あるいは、ｘ＝０．２６１，ｙ＝０．２６４を中心とする楕円の５色標準等色偏差内の色度範囲に設定する。
【００２７】
このような色度範囲に発光色の色度点を設定することにより、従来よりｙ値が高くなり、視感上赤みが抑えられ、水の透明感が向上する。
【００２８】
【実施例】
次に、３つの実施例および２つの比較例について説明する。
【００２９】
【表１】
0003580335.tif 000002
【００３０】
まず、第１の実施例は、３波長蛍光形蛍光体を有する蛍光ランプ（形式：ＦＬ２０ＳＳ／１８）に波長域４２０ｎｍの青色蛍光体を塗布したもので、バルブ２内には、図３に示すように、波長域４３５ｎｍ付近に発光ピークを有する青色蛍光体、波長域４９０ｎｍ付近に発光ピークを有する緑青色蛍光体、波長域５４５ｎｍ付近に発光ピークを有する緑色蛍光体、波長域５８５ｎｍ付近に発光ピークを赤色蛍光体、および、波長域６６０ｎｍ付近に発光ピークを有する深赤色蛍光体が塗布され、図１に示すように、発色光の色度点は、ｘ＝０．２７２，ｙ＝０．２７８を中心とする楕円の５色標準等色偏差内の色度範囲に設定されている。
【００３１】
また、第２の実施例では、３波長蛍光形蛍光体を有する蛍光ランプ（形式：ＦＬ２０ＳＳ／１８）に波長域４２０ｎｍの青色蛍光体を塗布したもので、バルブ２内には、図４に示すように、波長域４３５ｎｍ付近に発光ピークを有する青色蛍光体、波長域４９０ｎｍ付近に発光ピークを有する緑青色蛍光体、波長域５４５ｎｍ付近に発光ピークを有する緑色蛍光体、波長域５８５ｎｍ付近に発光ピークを有する赤色蛍光体、および、波長域６６０ｎｍ付近に発光ピークを有する深赤色蛍光体が塗布され、発色光の色度点は、ｘ＝０．２６１，ｙ＝０．２６２を中心とする楕円の５色標準等色偏差内の色度範囲に設定されている。
【００３２】
第１の比較例ではＥＸ−Ｄ（形式：ＦＬ２０ＳＳ・ＥＸ−Ｄ／１８Ｈ）を、第２の比較例ではＢＲＦ（形式：ＦＬ２０Ｓ・ＢＲＦ）を用いている。
【００３３】
そして、視感評価実験を行なった結果、第１の実施例で最も水槽内の水の透明感が向上し、相関色温度が高いほど赤色成分の比率が低くなり、藻の発生を抑えることができた。
【００３４】
【発明の効果】
請求項１記載の蛍光ランプによれば、波長域４２０ｎｍ付近に発光ピークを有する青色蛍光体、緑色蛍光体および赤色蛍光体の３波長発光形蛍光体を有し、発色光の色度点をｘ＝０．２７２，ｙ＝０．２７８を中心とする楕円の５色標準等色偏差内の色度範囲に設定したので、たとえば水の透明感を高め自然の色に近付けて照度を向上でき、より色を鮮やかにできるとともに、赤色の比率を抑えて藻の発生を抑えることができる。
【００３５】
請求項２記載の蛍光ランプによれば、波長域４２０ｎｍ付近に発光ピークを有する青色蛍光体、緑色蛍光体および赤色蛍光体の３波長発光形蛍光体を有し、発色光の色度点をｘ＝０．２６１，ｙ＝０．２６２を中心とする楕円の５色標準等色偏差内の色度範囲に設定したので、たとえば水の透明感を高め自然の色に近付けて照度を向上でき、より色を鮮やかにできるとともに、赤色の比率を抑えて藻の発生を抑えることができる。
【００３６】
請求項３記載の蛍光ランプによれば、波長域４２０ｎｍ付近に発光ピークを有する青色蛍光体、緑色蛍光体および赤色蛍光体の３波長発光形蛍光体を有し、発色光の色度点をｘ＝０．２６１，ｙ＝０．２６４を中心とする楕円の５色標準等色偏差内の色度範囲に設定したので、たとえば水の透明感を高め自然の色に近付けて照度を向上でき、より色を鮮やかにできるとともに、赤色の比率を抑えて藻の発生を抑えることができる。
【００３７】
請求項４記載の蛍光ランプによれば、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、発色光の色度点をｘ＝０．２７２，ｙ＝０．２７８を中心とする楕円の５色標準等色偏差内の色度範囲に設定したので、たとえば水の透明感を高め自然の色に近付けて照度を向上でき、より色を鮮やかにできるとともに、赤色の比率を抑えて藻の発生を抑えることができる。
【００３８】
請求項５記載の蛍光ランプによれば、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、発色光の色度点をｘ＝０．２６１，ｙ＝０．２６２を中心とする楕円の５色標準等色偏差内の色度範囲に設定したので、たとえば水の透明感を高め自然の色に近付けて照度を向上でき、より色を鮮やかにできるとともに、赤色の比率を抑えて藻の発生を抑えることができる。
【００３９】
請求項６記載の蛍光ランプによれば、波長域６６０ｎｍ付近に発光ピークを有する深赤色蛍光体、波長域４２０ｎｍ付近に発光ピークを有する青色蛍光体、および、波長域３２０ｎｍないし３８０ｎｍ付近に発光ピークを有する紫外域蛍光体を２種以上有した青色蛍光体、緑色蛍光体および赤色蛍光体の３波長発光形蛍光体を有し、発色光の色度点をｘ＝０．２６１，ｙ＝０．２６４を中心とする楕円の５色標準等色偏差内の色度範囲に設定したので、たとえば水の透明感を高め自然の色に近付けて照度を向上でき、より色を鮮やかにできるとともに、赤色の比率を抑えて藻の発生を抑えることができる。
【００４０】
請求項７記載の蛍光ランプによれば、請求項１ないし６いずれか一記載の蛍光ランプに加え、波長域４３０ｎｍないし４９０ｎｍに発光ピークを有する青色蛍光体、波長域５１０ｎｍないし５７０ｎｍに発光ピークを有する緑色蛍光体、および、波長域５８０ｎｍないし６３０ｎｍに発光ピークを有する赤色蛍光体を有するので、たとえば水槽などに使用する場合、水草の育成や魚の観賞を好適にできる。
【００４１】
請求項８記載の蛍光ランプによれば、請求項１ないし３および７いずれか一記載の蛍光ランプに加え、波長域６６０ｎｍ付近に発光ピークを有する深赤色蛍光体を有するので、より色を鮮やかにするとともに、比較的赤色に近い色が発光するので藻の発生を抑えることができる。
【００４２】
請求項９記載の蛍光ランプによれば、請求項１ないし３、７および８いずれか一記載の蛍光ランプに加え、より色を鮮やかにするとともに、赤色の比率を抑えて藻の発生を抑えることができる。
【００４３】
請求項１０記載の蛍光ランプによれば、請求項１ないし９いずれか一記載の蛍光ランプに加え、相関色温度が８０００Ｋ以上であるので、高色温度にすることにより赤色の成分の比率が減少でき、たとえば水槽内の水の透明感を高めて自然に近付けることができるとともに高照度が得られ、藻の発生も抑えることができる。
【図面の簡単な説明】
【図１】本発明の蛍光ランプの一実施の形態を示すＣＩＥ色度図である。
【図２】同上蛍光ランプを示す正面図である。
【図３】同上第１の実施例の発光エネルギー分布を示すグラフである。
【図４】同上第２の実施例の発光エネルギー分布を示すグラフである。
【符号の説明】
１    蛍光ランプ
【図１】
0003580335.tif 000003
【図２】
0003580335.tif 000004
【図３】
0003580335.tif 000005
【図４】
0003580335.tif 000006